(57)【特許請求の範囲】
【請求項１】
音響信号に変調された識別情報を音声として、所定の時刻に放音する放音装置と、
情報通信ネットワークに接続され、前記識別情報、該識別情報の有効時間の範囲を示す有効時間情報および該識別情報に対応するコンテンツのアドレス情報を対応して記憶した対応テーブルを有する識別情報解決サーバと、
前記放音装置が放音した音声を収音する収音部、収音した音声から前記識別情報を復調する復調部、復調された識別情報を前記識別情報解決サーバに送信して前記アドレス情報を取得する識別情報解決部、および、取得したアドレス情報を用いて前記コンテンツにアクセスするネットワークアクセス部を備えた携帯端末装置と、
を有する情報提供システムであって、
前記識別情報解決サーバは、前記携帯端末装置から前記識別情報を含む情報を受信し、前記携帯端末装置の復調部が前記識別情報を復調した時刻および前記携帯端末装置の識別情報解決部が前記識別情報を前記識別情報解決サーバに送信した時刻を示す時刻情報、及び、前記識別情報を用いて、前記対応テーブルを参照し、前記時刻情報が前記有効時間情報によって示される前記有効時間の範囲内であれば、対応するコンテンツのアドレス情報を前記携帯端末装置に返信する
情報提供システム。
【請求項２】
前記放音装置は放送受信装置であり、
前記音声は、放送の番組または宣伝広告の音声として放送局から送信されてくるものであり、
前記識別情報解決サーバは、受信した識別情報に基づき、前記番組または前記宣伝広告に関するコンテンツにアクセスするためのアドレス情報を割り出すものである
請求項１に記載の情報提供システム。
【発明の詳細な説明】
【技術分野】
【０００１】
この発明は、音響による識別情報を用いて各種の情報を提供する情報提供システム、および、このシステムに用いられる識別情報解決サーバおよび携帯端末装置に関する。
【背景技術】
【０００２】
テレビ放送において、番組の放送中にデータ放送を重畳し、テレビのリモコン操作によってその番組に関連する各種の情報を提供するシステムが実用化されている。
【０００３】
また、テレビ番組のリアルタイムの視聴率を上げるために、番組中で１または複数のキーワードを提示し、番組終了時に視聴者に電話を掛けて、上記のキーワードを言えた場合に何らかの賞品を提供する番組進行モデルが広く行われている。
【先行技術文献】
【特許文献】
【０００４】
【特許文献１】特開２００８−２８８６３８号公報
【発明の概要】
【発明が解決しようとする課題】
【０００５】
上記のキーワードの提示に代えて、データ放送をテレビ番組の視聴率を上げるための手段として用いることも考えられるが、データ放送は視聴者の個別のアクセスに対応できるものではないため、賞品の提供には別途の手段で視聴者によるアクセスを受け付ける必要があった。また仮に、テレビ受像機の画面にクーポンなどの景品コンテンツを表示したとしても、視聴者が表示された景品コンテンツを所持して活用することはできない。また、テレビ放送に限らず、ラジオ放送やウェブサイトを含むメディア、あるいは店舗などへユーザをリアルタイムに誘導させる需要も多い。
【０００６】
この発明は、音響による識別情報を用いてユーザが使用する携帯端末装置に情報を提供することにより、ユーザをリアルタイムに、メディアあるいは店舗等へ誘導させることのできる情報提供システム、および、このシステムに用いられる識別情報解決サーバおよび携帯端末装置を提供することを目的とする。
【課題を解決するための手段】
【０００７】
第１の態様の情報提供システムは、音響信号に変調された識別情報を音声として、所定の時刻に放音する放音装置と、情報通信ネットワークに接続され、前記識別情報、該識別情報の有効時間の範囲を示す有効時間情報および該識別情報に対応するコンテンツのアドレス情報を対応して記憶した対応テーブルを有する識別情報解決サーバと、前記放音装置が放音した音声を収音する収音部、収音した音声から前記識別情報を復調する復調部、復調された識別情報を前記識別情報解決サーバに送信して前記アドレス情報を取得する識別情報解決部、および、取得したアドレス情報を用いて前記コンテンツにアクセスするネットワークアクセス部を備えた携帯端末装置と、を有する情報提供システムであって、前記識別情報解決サーバは、前記携帯端末装置から前記識別情報を含む情報を受信し、前記携帯端末装置の復調部が前記識別情報を復調した時刻および前記携帯端末装置の識別情報解決部が前記識別情報を前記識別情報解決サーバに送信した時刻を示す時刻情報、及び、前記識別情報を用いて、前記対応テーブルを参照し、前記時刻情報が前記有効時間情報によって示される前記有効時間の範囲内であれば、対応するコンテンツのアドレス情報を前記携帯端末装置に返信することを特徴とする。
【０００８】
第２の態様は、前記放音装置は放送受信装置であり、前記音声は放送の番組または宣伝広告の音声として放送局から送信されてくるものであり、前記識別情報解決サーバは、受信した識別情報に基づき前記番組または前記宣伝広告に関するコンテンツにアクセスするためのアドレス情報を割り出すことを特徴とする。
【発明の効果】
【００１３】
この発明によれば、音響に重畳した識別情報の有効時間を定め、時間情報が有効時間の範囲内にあればコンテンツのアドレス情報を携帯端末装置に提供するようにしたので、携帯端末装置のユーザをリアルタイムに、テレビ番組、ラジオ番組、ウェブサイト等を含むメディア、あるいは店舗等に誘導させることが可能になる。
【図面の簡単な説明】
【００１４】
【図１】この発明の実施形態である情報提供システムのブロック図
【図２】音響ＩＤの重畳方式の例を示す図
【図３】ＩＤ解決サーバのＩＤ／ＵＲＬ対応テーブルの例を示す図
【図４】携帯端末装置の一部ブロック図
【図５】ＩＤ解決サーバの一部ブロック図
【図６】携帯端末装置およびＩＤ解決サーバの動作を示すフローチャート
【図７】情報提供システムを店舗に適用した場合のスピーカの配置例を示す図
【図８】放音装置の構成例を示すブロック図
【図９】携帯端末装置の動作を示すフローチャート
【発明を実施するための形態】
【００１５】
図面を参照してこの発明の実施形態である情報提供システムについて説明する。図１は、情報提供システムの構成を説明する図である。この情報提供システムは、テレビ（ＴＶ；放音装置）１で放送される番組に音響ＩＤ（識別情報）を重畳し、携帯端末装置２がこの音響ＩＤを用いて特定のインターネットサイト（ＵＲＬ）にアクセスしてユーザ６（視聴者）に利益のあるクーポン等を取得できるようにすることにより、番組のリアルタイムの視聴を向上させるシステムである。携帯端末装置２としてはスマートフォンなどが用いられる。
【００１６】
まず、本情報提供システムの概略を説明する。テレビ１が、所定のテレビ番組（ＣＭを含む）の放映中に放送音声及び音響ＩＤを放音する。音響ＩＤは、放送音声に重畳されて放音される。なお、音響ＩＤの重畳はテレビ１が行っても良いし、放送局または中継機器が行なっても良い。放音された音響ＩＤは、携帯端末装置２によって収音される。携帯端末装置２は、この音響ＩＤをＩＤコードに復調し、このＩＤコードを用いて特定のインターネットサイト（ＵＲＬ）にアクセスする。そうすることにより、上記インターネットサイトから、携帯端末装置２に対してクーポンなどの特定情報が送られて来る。このように、携帯端末装置２のユーザ６（視聴者）は、上記所定のテレビ番組を視聴することでクーポンなどのコンテンツを獲得できるため、このテレビ番組を視聴しようとする。これにより、このテレビ番組の視聴の向上を図ることができる。
【００１７】
このシステムは、テレビ番組の放送中の視聴率の向上を主な目的としているため、家庭等にあるハードディスクや光ディスク等の記憶媒体にビデオ録画された番組をユーザ６が再生したときに放音される音響ＩＤを用いて、当該番組の放送後にインターネットサイトにアクセスしても、インターネットサイトへのアクセスする時間がテレビ放送により指定された所定の有効時間帯に該当しないことを判断してコンテンツが提供できないようにしている。
【００１８】
テレビ１は、テレビ放送を受信して映像を表示するとともに音声を放音する放送受信装置の一例である。このテレビ放送の音声に、音響信号に変調されたＩＤコードである音響ＩＤが重畳されている。音響ＩＤは、テレビ放送の冒頭に１回のみ重畳されてもよく、適宜適当なタイミングに複数回重畳されてもよい。また、音響ＩＤは、テレビ放送の全時間帯にわたって繰り返し重畳されてもよい。音響ＩＤの重畳方式については後述する。音響ＩＤが重畳された音声を携帯端末装置２が収音する。ユーザ６が携帯端末装置２を所持している。携帯端末装置２には、後述する制御部２２が実行する音響ＩＤアプリケーションプログラムがインストールされている。音響ＩＤアプリケーションプログラムは、収音した音声から音響ＩＤを分離し、ＩＤコードに復調し、このＩＤコードをＩＤ解決サーバ４に送信することで、ＩＤ解決サーバ４からコンテンツサーバ５のＵＲＬを取得するアプリケーションソフトウェアである。図４に示すように、携帯端末装置２は制御部２２を含む。制御部２２は、音響ＩＤ処理部２３を有しており、制御部２２が音響ＩＤアプリケーションプログラムを実行することにより音響ＩＤ処理部２３を実現する。音響ＩＤ処理部２３の詳細動作は図６のフローチャートで説明する。携帯端末装置２は、音響ＩＤ処理部２３により、音声に含まれる音響ＩＤをＩＤコードに復調し、このＩＤコードをネットワーク３を介してＩＤ解決サーバ４に送信する。ＩＤ解決サーバ４は、ＩＤ／ＵＲＬ対応テーブル４０を備えており、受信した音響ＩＤを用いて、ＩＤ／ＵＲＬ対応テーブル４０を検索して対応するＵＲＬを読み出して携帯端末装置２に返信する。
【００１９】
音響ＩＤは、テレビ１のスピーカで再生される可聴帯域の音声のうち高音域の周波数帯域に重畳される。図２に示すようにテレビ放送の番組やＣＭで放送されるコンテンツ音声の周波数は通常１６ｋＨｚ程度が上限とされる。音響ＩＤが重畳される高音域の周波数帯域とは、この上限周波数以上であり、かつテレビ１のオーディオ回路やスピーカが動作して再生可能な周波数帯域である帯域、例えば１８〜２０ｋＨｚの帯域である。
【００２０】
番組やＣＭの音声に音響ＩＤを重畳する方式は種々の方式を採用可能であるが、たとえば、国際公開第２０１０／０１６５８９号パンフレットに詳細に説明されているような、ＩＤコードを拡散符号で拡散して１８〜２０ｋＨｚの周波数帯域まで周波数シフトする技術が好適である。
【００２１】
音響ＩＤをＵＲＬに解決するために、ＩＤ解決サーバ４には図３に示すようなＩＤ／ＵＲＬ対応テーブル４０が設けられる。「音響ＩＤをＵＲＬに解決する」とは、この明細書では、「音響ＩＤを復調して得られるＩＤコードに対応したＵＲＬ（アドレス情報）を特定する」ことを意味する。ＩＤ／ＵＲＬ対応テーブル４０には、複数のＩＤコードとそのＩＤコードに対応する番組名、提供するコンテンツタイプ（クーポン、特典画像など）、有効時間帯（有効時間情報）、および、コンテンツのＵＲＬが対応づけて記憶されている。このように、ＵＲＬより短いデータ長のＩＤコード（たとえば４桁の数字、図３参照）にコンテンツのＵＲＬを対応づけることにより、送信レートの高くない音響によるデータ送信であっても、ＩＤコードより長いデータ長のＵＲＬ（英数字等の所定の文字列）をユーザの携帯端末装置２に提供することが可能になる。
【００２２】
また、図３のＩＤ／ＵＲＬ対応テーブル４０において、同じＩＤコードの有効時間帯を更に細分化し、細分化された各有効時間帯でそれぞれ異なるコンテンツを提供するようにしてもよい。たとえば、同じ番組Ａに対応する時間帯であっても、（１）番組の冒頭（たとえば１１：００〜１１：０５、（２）番組の特定のコンテンツの放送時（たとえば１１：３５〜１１：４５）、（３）番組終了時（たとえば１１：５５〜１２：００）、（４）その他の番組時間帯（たとえば１１：００〜１２：００のうち上記以外の時間帯）等としてもよい。このうち、視聴されることが望まれる時間帯のアクセスに対して質の高いサービスを対応させることで、テレビ番組の視聴の向上を期待できる。
【００２３】
図４は携帯端末装置２の本実施形態に関係する部分のみを取り出した機能ブロック図である。携帯端末装置２は、マイク２１、制御部２２、ネットワーク通信部２５、ＧＰＳ測位部２６、時計２７、操作部２８、表示部２９を備えている。マイク２１は、テレビ１のスピーカから放音された音響を収音する。ネットワーク通信部２５は、ネットワーク３を介してＩＤ解決サーバ４やコンテンツサーバ５と通信する機能部である。
【００２４】
制御部２２は、ＣＰＵ等の処理手段および各種プログラムやデータを記憶するＲＡＭ等の記憶手段にて構成され、ＣＰＵ等が各種プログラムを実行することにより制御部２２が実現される。制御部２２には、音響ＩＤ処理部２３が設けられており、また、ウェブブラウザ２４が設けられている。制御部２２が音響ＩＤアプリケーションプログラムを実行することにより音響ＩＤ処理部２３が実現され、また、制御部２２が携帯端末装置２の標準アプリケーションプログラムであるブラウザプログラムを実行することによりウェブブラウザ２４が実現される。音響ＩＤ処理部２３は、収音して得られた音声信号を、拡散変調に用いられた拡散符号を係数とする整合フィルタに通すことによってＩＤコードを復調する処理部、ネットワーク通信部２５を制御してＩＤ解決サーバ４およびコンテンツサーバ５と通信する処理部などからなっている。このＩＤコードの復調処理は、国際公開第２０１０／０１６５８９号パンフレットに詳細に説明されている。ウェブブラウザ２４は、音響ＩＤ処理部２３が取得したＵＲＬにアクセスしてウェブページを表示する。
【００２５】
ＧＰＳ測位部２６は、ＧＰＳを用いて自己の位置を測定し、位置情報や時刻情報をウェブブラウザ２４に提供する。また、時計２７は、音響ＩＤを含んだ音声の収音時、または、ＩＤ解決サーバ４との通信時の時刻を計測して、時刻情報をウェブブラウザ２４に提供する。これらＧＰＳ測位部２６および時計２７は、本実施形態において必ずしも使用されるものではない。また、操作部２８はたとえば表示部２９の表面に設けられたタッチパネルであり、ネットワーク３との通信の許可などのユーザ６の操作を検出する。
【００２６】
図５は、コンピュータ装置であるＩＤ解決サーバ４の本実施形態に関係する部分のみを取り出した機能ブロック図である。ＩＤ解決サーバ４は、制御部４２、記憶部４３、ネットワーク通信部４５、時計４７を備えている。記憶部４３には、前述のＩＤ／ＵＲＬ対応テーブル４０及び後述する図６（Ｂ）等を用いて説明した処理手順を実行するためのプログラムが記憶されている。ネットワーク通信部４５は、ネットワーク３を介してクライアントである携帯端末装置２とメッセージやデータ等の送受信を行う機能部である。
【００２７】
制御部４２は、記憶部４３および時計４７と接続されている。制御部４２は、ネットワーク通信部４５を介して受信したＩＤコードを、記憶部４３に含まれるＩＤ／ＵＲＬ対応テーブル４０と時計４７を参照しつつＵＲＬに解決するＩＤ解決処理を実行する処理部（識別情報解決手段）である（詳細は後述する）。
【００２８】
コンテンツサーバ５は、ＩＤ解決サーバ４にて解決されたＵＲＬに対応する広告・クーポン等のコンテンツを構成する各種データを記憶する記憶部と、クライアントである携帯端末装置２とメッセージやデータ等の送受信を行う通信部と、携帯端末装置２からのリクエストに応じたレスポンスとして広告・クーポン等の情報を提供するウェブサーバ等の機能を実現するための制御部とを有するコンピュータ装置である。なお、ＩＤ解決サーバ４およびコンテンツサーバ５を構成するコンピュータ装置の構成は任意であり、１台のコンピュータ装置にて実現しても良いし、複数台のコンピュータ装置にて実現してもよい。あるいは実体としてのコンピュータ装置ではなく、ネットワークを介して提供される仮想サーバ上にて実現してもよい。
【００２９】
図６（Ａ）は携帯端末装置２の音響ＩＤ処理部２３の動作を示すフローチャート、図６（Ｂ）はＩＤ解決サーバ４の制御部４２の動作を示すフローチャートである。まず、図６（Ａ）において、携帯端末装置２の音響ＩＤ処理部２３は、音響ＩＤを検出しない間は、ステップＳ１（以下、ステップＳｎを単にＳｎと記す）で待機している。音響ＩＤ処理部２３が音響ＩＤを検出すると（Ｓ１でＹＥＳ）、音響ＩＤを復調し（Ｓ２）、復調されたＩＤコードをＩＤ解決サーバ４に送信する（Ｓ３）。ＩＤ解決サーバ４は、受信したＩＤコードに対応して図６（Ｂ）の処理を実行し、対応するＵＲＬまたはＩＤコードが無効である旨を携帯端末装置２に返信する。携帯端末装置２はこの返信を受信すると、音響ＩＤ処理部２３が、その返信の内容がＵＲＬであるか、あるいは無効である旨の電文であるかを判断する（Ｓ４）。Ｓ４でＵＲＬと判断した場合には、音響ＩＤ処理部２３は携帯端末装置２の標準アプリケーションプログラムであるブラウザプログラムによりウェブブラウザ２４を起動（待機状態やバックグラウンドにあるウェブブラウザ２４を呼び出す場合も含む）し（Ｓ５）、受信したＵＲＬをウェブブラウザ２４に渡して（Ｓ６）、ウェブブラウザ２４において、このＵＲＬにアクセスしてウェブページを表示させる（Ｓ７）。また、Ｓ４で無効である旨の判断をした場合には、携帯端末装置２はＩＤコードが無効である旨を表示させる（Ｓ８）。
【００３０】
なお、ＩＤ解決サーバ４は、以下の認証処理を実行することにより、携帯端末装置２を特定する。すなわち、携帯端末装置２は、携帯端末装置２の固有の識別コードをＩＤ解決サーバ４に送り、所定の処理を行うことで認証処理が完了する。また、この認証処理は図６（Ａ）のＳ３までに行われていれば良い。あるいは、この認証処理はＳ３と同時に行っても良く、その場合、携帯端末装置２の固有の識別コードとＩＤコードとを同時にＩＤ解決サーバ４に送信する。
【００３１】
なお、コンテンツがウェブブラウザ２４を要しない形式のデータである場合には、音響ＩＤ処理部２３はウェブブラウザ２４を起動せずに必要なアプリケーションプログラムを起動してそのコンテンツを表示または再生すればよい。
【００３２】
また、ＩＤ解決サーバ４への複数回のアクセスを防止するために、携帯端末装置２の音響ＩＤ処理部２３または制御部２２に設けられた他の処理部が、Ｓ２で復調されたＩＤコードが、過去一定時間内に復調されたものと同じＩＤコードであるか否かを判断し、同じＩＤコードであると判断した場合には、音響ＩＤ処理部２３は、Ｓ３におけるＩＤ解決サーバ４への送信を行わないようにしてもよい。これにより、同じ番組あるいは場面に対応づけられたＩＤコードを、一つの携帯端末装置２から無為に何度もＩＤ解決サーバ４へ送信することを防止することが可能になる。
【００３３】
図６（Ａ）のフローチャートは、音響ＩＤを検出してこれをＩＤコードに復調したのち、自動的にＩＤ解決サーバ４にアクセスする手順になっているが、ＩＤコードが復調されたのちユーザ６による所定の操作を待って、ＩＤ解決サーバ４にアクセスするようにしてもよい。この場合、ステップＳ３の前でユーザ６の操作があるまで待機するようにすればよい。
【００３４】
携帯端末装置２がユーザ６の操作を待ってＩＤ解決サーバ４にアクセスする場合、携帯端末装置２が音響ＩＤを受信した旨を表示またはアナウンスするようにしてもよく、また、テレビ番組で音響ＩＤを重畳したのちの適当なタイミングで携帯端末装置２の送信操作をするようユーザ６にテレビ１が指示するようにしてもよい。この場合、いつ放送されるか判らない特定の場面（たとえば俳優Ａさんが登場する場面）に合わせて送信操作をするようにテレビ１が指示してもよい。なお、ユーザ６への送信操作の指示はテレビ１ではなく、携帯端末装置２あるいはその他の指示手段を用いても良い。
【００３５】
音響ＩＤが放音されたのち所定時間後に、テレビ番組中に携帯端末装置２の操作を促す表示またはアナウンスをすることにより、音響ＩＤの放音から上記の表示またはアナウンスまでの間テレビを視聴していたユーザ６（携帯端末装置２）のみにＩＤ解決サーバ４へのアクセスを可能にすることができる。また、音響ＩＤが放音されたのち、テレビ番組内でいつ放送されるか判らない特定の場面に合わせて送信操作をするように指示した場合、この指示から特定の場面までの番組視聴をユーザ６に促すことが可能になる。ＩＤ／ＵＲＬ対応テーブル４０の有効時間帯は、上記の表示またはアナウンス、または、特定の場面から一定時間とすればよい。
【００３６】
図６（Ｂ）はＩＤ解決サーバ４の制御部４２の動作を示すフローチャートである。ＩＤ解決サーバ４の制御部４２は、携帯端末装置２からＩＤコードを受信するまでＳ１１で待機している。制御部４２は、ＩＤコードを受信すると（Ｓ１１でＹＥＳ）、時計４７を参照してそのときの時刻（すなわち受信時刻）を時刻情報として読み取り（Ｓ１２）、この受信時刻と受信したＩＤコードとでＩＤ／ＵＲＬ対応テーブル４０を検索（参照）する（Ｓ１３）。検索の結果、受信時刻が受信したＩＤコードの有効時間帯に含まれている場合には（Ｓ１４でＹＥＳ）、制御部４２は、ＩＤコードが有効であると判断して対応するＵＲＬを読み出して、携帯端末装置２に送信する（Ｓ１５）。一方、受信時刻が有効時間帯に含まれていない場合には（Ｓ１４でＮＯ）、制御部４２は、有効時間帯から外れてＩＤコードが送られてきたと判断して、ＩＤコードが無効である旨を携帯端末装置２に返信する（Ｓ１６）。
【００３７】
以上の処理により、ＩＤ解決サーバ４は、テレビ番組において音響ＩＤが放送（放音）されたのち、時間を置かずに（または指示されたタイミングに）アクセスされた場合に限って携帯端末装置２に対してコンテンツのＵＲＬを返信する一方で、実際の放送から所定の時間が経過した後の有効時間帯からは外れた時間帯において、例えば録画したコンテンツの再生時のアクセスに対しては無効の処理を行う。
【００３８】
なお、この実施形態では、ＩＤ解決サーバ４が携帯端末装置２からＩＤコードを受信した受信時刻である時刻情報を用いて有効時間帯か否かの判断を行っているが、有効時間の判断に用いる時刻はこれに限定されない。たとえば、携帯端末装置２が音響ＩＤを収音または復調した時刻、携帯端末装置２がＩＤコードをＩＤ解決サーバ４に送信した時刻などを用いてもよい。この場合には、携帯端末装置２のＧＰＳ測定部２６で取得した時刻あるいは時計２７で計測した時刻が時刻情報として、ＩＤコードとともにＩＤ解決サーバ４に送信される。また、これら複数の時刻情報を用いて、あるいは組み合わせて判断を行うようにしてもよい。
【００３９】
複数の時刻情報を用いて判断する場合、複数の時刻情報のいずれもがＩＤ／ＵＲＬ対応テーブル４０の有効時間帯の範囲である場合に有効とすればよい。また、ＩＤ／ＵＲＬ対応テーブル４０に複数の時刻情報に対する有効時間帯をそれぞれ記憶しておき、複数の時刻情報がそれぞれの有効時間帯に含まれるとき、受信したＩＤコードを有効と判断するようにしてもよい。
【００４０】
また、ＩＤ解決サーバ４が、複数の時刻情報の時間差に基づいてＩＤコードの有効／無効を判断してもよい。すなわち、音響ＩＤを受信したのちまたはＩＤコードに復調されたのちすぐに（あるいは一定時間内に）、ＩＤコードがＩＤ解決サーバ４に送信された場合、このＩＤコードを有効と判断する。この場合、ＩＤ／ＵＲＬ対応テーブル４０には、有効時間帯の情報に代えて有効時間差の情報を記憶しておけばよい。
【００４１】
また、ＩＤ解決サーバ４が、複数の時刻情報を取得し、１つの時刻情報で判断を行い、他の時刻情報を用いてアクセスの優先度を判断するようにしてもよい。たとえば、ＩＤ解決サーバ４の受信時刻に基づいて有効／無効の判断を行うとともに、携帯端末装置２からＩＤコードが復調された時刻を受け取り、この復調時刻から受信時刻までの時間差が短いほど、このアクセスの優先度を高くするなどである。優先度の高いアクセスに対しては、同じＩＤコードであっても高度なコンテンツを提供するＵＲＬを返信するなどの特典を付与すればよい。
【００４２】
また、携帯端末装置２のＧＰＳ測定部２６で取得した時刻と時計２７で計測した時刻とを比較するようにしてもよい。これにより、正確な時刻情報を得たり、不正に時刻情報を取得することを防止したりすることが可能となる。
【００４３】
以上の実施形態では、テレビ１の音声に音響ＩＤを重畳して、テレビ番組の視聴率を向上させる例について説明したが、放送はテレビ放送に限定されず、たとえばラジオ放送に適用すれば、ラジオ番組の聴取率の向上を図ることができる。さらに、本実施形態をインターネットによるネットワーク配信に適用すれば、該ネットワーク配信を行うウェブサイトのアクセス数の増加を図ることもできる。このようにテレビやラジオの放送局やウェブサイトの運営者は、本発明により、携帯端末装置２のユーザをメディアにリアルタイムに誘導させることができる。また、小売店舗等の施設に設置されたスピーカから音響ＩＤを放音して、クーポン等のコンテンツを提供することにより、有効時間帯において顧客（携帯端末装置２のユーザ）を当該店舗に誘導させ、当該店舗への集客（訪問率）の向上を図ることも可能である。この場合において、有効時間帯を設定することにより、顧客が音響ＩＤをボイスレコーダ等に録音して持ち帰り、顧客が録音した音声を、有効時間帯から外れた後の時間帯に再生してコンテンツを取得することを防止することができる。
【００４４】
小売店舗等にスピーカを設置する場合、スピーカ１６は、たとえば、図７（Ａ）〜（Ｃ）に示すような形態で、店舗近傍または店内に設置すればよい。図７（Ａ）は、通路または店舗の天井にスピーカ１６を設置する形態である。図７（Ｂ）は、通路または店舗の壁面にスピーカ１６を設置する形態である。また、図７（Ｃ）は、スピーカ１６が埋め込まれた掲示板９を店舗の前に設置する形態である。ただし、スピーカ１６の設置形態はこれに限定されない。要するに、スピーカ１６はサービスの提供に対応して音を放音する装置であればよい。この場合において、音響は、一般に電波と異なり到達距離が短いため、音響ＩＤは、スピーカ１６を設置した店舗の近傍のみで受信される。これにより、店舗の前を通り掛かった顧客や入店した顧客等の比較的狭い目視可能な領域の対象者に限定して、クーポンや情報を提供することができる。
【００４５】
図８は、図７で設置されるスピーカ１６を備えた放音装置８の構成を示すブロック図である。放音装置８は、ＩＤコードメモリ１１、変調部１２、音声再生部１３、合成部１４、増幅器１５および上記スピーカ１６を備えている。ＩＤコードメモリ１１には所定のコンテンツ（ＵＲＬやクーポン）に対応づけられるＩＤコードが、予め拡散符号で拡散されて音響ＩＤとして記憶されている。変調部１２は、ＩＤコードを空気や固体等の媒質の振動である音波として放音可能な周波数帯域の信号に変調する処理部である。変調部１２の変調方式は種々の方式を用いることが可能であるが、この実施形態では、ノイズ耐性を向上させるために、ＩＤコードで拡散符号を位相変調し、この位相変調された拡散符号を非可聴帯域まで周波数シフトして放音するようにしている。この技術は、国際公開第２０１０／０１６５８９号パンフレットに詳細に説明されている。音声再生部１３は、店舗の名称などをアナウンスする音声、ＣＭソングなどの音楽を再生する機能部であり、これら音声や音楽などの呼び込み音声を出力する。合成部１４は、音響ＩＤ（拡散変調されたＩＤコード）と呼び込み音声を加算合成する機能部である。増幅器１５は合成部１４から入力された音声を適当な電力まで増幅してスピーカ１６に供給する。スピーカ１６は増幅器１５から入力された音声信号を音響として放音する。ここで、増幅器１５の出力電力は、この放音装置８のカバーエリアまで音響（音波）が到達し、カバーエリア外へ音響（音波）が到達しないような電力に、設置場所の広さやノイズの程度に応じて適宜設定すればよい。
【００４６】
なお、この実施形態において、変調信号を放音するスピーカ１６およびこれを収音するマイク２１に代えて、それぞれ加振器、振動ピックアップを用いてもよい。すなわち、空気振動に代えて固体振動で変調信号を伝送するようにしてもよい。
【００４７】
なお、上記実施形態において、携帯端末装置２としてスマートフォンを例示しているが、携帯端末装置２はスマートフォンに限定されず、例えば携帯電話、ＰＤＡ（Personal Digital Assistant）、その他の装置に適用可能である。
【００４８】
上記実施形態において、ＩＤ解決サーバ４が、携帯端末装置２から複数回アクセスがあったときＵＲＬを返すようにしてもよい。たとえば、テレビ番組の複数のシーンにそれぞれＩＤコードを付しておき、携帯端末装置２からそれぞれのシーンに対応するＩＤコードを全て受信した場合、毎日または毎週の同じ番組にそれぞれＩＤコードを付しておき、携帯端末装置２から各回の番組に対応するＩＤコードを全て受信した場合、店舗のサイネージから放音されたＩＤコードを複数日にわたって受信した場合等に、携帯端末装置２に対してＵＲＬを返信するようにすればよい。この場合、ＩＤ解決サーバ４は、ＩＤコードを送信してきた携帯端末装置２の識別コードとアクセス回数等の情報を直近のアクセスから所定期間記憶しておくようにすればよい。
【００４９】
上記実施形態では、音響ＩＤに時刻情報が付加されておらず、携帯端末装置２からＩＤコードを受信したＩＤ解決サーバ４が、受信時刻に基づいてそのＩＤコードの有効／無効を判断するようにしていた。別の方式として、音響ＩＤに時刻情報を付加してもよい。このようにすることにより、携帯端末装置２が、受信した音響ＩＤから読み取った時刻情報に基づいて、その音響ＩＤ（ＩＤコード）が有効か否かを自身で判断することができる。すなわち、録画番組を再生した際に放音される音響ＩＤは、この音響ＩＤに含まれる時刻情報と現在時刻が大きく異なるため、この音響ＩＤを受信した携帯端末装置２によって無効と判断される。これにより、全てのＩＤコードをＩＤ解決サーバ４に送信することなく、無効なＩＤコードの場合には、携帯端末装置２自身でそのＩＤコードを破棄することができるため、ＩＤ解決サーバ４の負担を軽減することができる。時刻情報はＩＤコードの一部であってもよく、ＩＤコードと時刻情報は別の情報であるが一体に音響ＩＤとして変調されていてもよい。また、時刻情報は暗号化されていてもよい。
【００５０】
図９は音響ＩＤに時刻情報を付加した場合の携帯端末装置２の音響ＩＤ処理部２３の動作を示すフローチャートである。携帯端末装置２の音響ＩＤ処理部２３は、音響ＩＤを検出しない間は、Ｓ２０で待機している。音響ＩＤ処理部２３は、音響ＩＤを検出すると（Ｓ２０でＹＥＳ）、検出した音響ＩＤをＩＤコードに復調し（Ｓ２１）、復調したＩＤコードに含まれるまたはＩＤコードと一緒に復調された時刻情報を読み出す（Ｓ２２）。そして音響ＩＤ処理部２３は、この時刻情報が有効か否か、すなわち、時計２７から読み取った現在時刻から一定時間内（たとえば３０分以内）であるかを判断し、ＩＤコードが有効か否かを判断する（Ｓ２３）。ＩＤコードが有効であれば、音響ＩＤ処理部２３は、このＩＤコードをＩＤ解決サーバ４に送信する（Ｓ２４）。ＩＤ解決サーバ４は受信したＩＤコードに対応するＵＲＬを携帯端末装置２に返信する。なお、ＩＤコードの有効性は携帯端末装置２側で判断しているため、ＩＤ解決サーバ４は受信したＩＤコードの有効性を判断する必要がない。携帯端末装置２はこの返信を受信すると（Ｓ２５）、音響ＩＤ処理部２３は、携帯端末装置２の標準アプリケーションであるウェブブラウザ２４を起動（待機状態やバックグラウンドにあるウェブブラウザ２４を呼び出す場合も含む）し（Ｓ２６）、受信したＵＲＬをウェブブラウザ２４に渡して（Ｓ２７）、ウェブブラウザ２４において、このＵＲＬにアクセスしてウェブページを表示させる（Ｓ２８）。なお、コンテンツがウェブブラウザ２４を要しない形式のデータである場合には、音響ＩＤ処理部２３は、ウェブブラウザ２４を起動せずに必要なアプリケーションプログラムを起動してそのコンテンツを表示または再生すればよい。
【００５１】
また、上記以外の方式として、ＩＤ解決サーバ４が、携帯端末装置２からのアクセスを先着順に受け付け、ＩＤコードが送られてくる一定数のアクセスに対してコンテンツのＵＲＬを返信するようにしてもよい。この場合、ＩＤ／ＵＲＬ対応テーブル４０の有効時間情報はなくてもよい。
【００５２】
上述したように、各実施形態における携帯端末装置２の音響ＩＤ処理部２３は、２２内で音響ＩＤアプリケーションプログラムを実行する機能部であり、この音響ＩＤアプリケーションプログラムは、コンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、上記のプログラムは、インターネットのような情報通信ネットワーク経由でダウンロードさせることも可能である。
【００５３】
なお、放送番組に対するＩＤコードの付加を音響ＩＤ以外の方式で行うことも可能である。たとえば、音声信号のサブコードやデータ放送を用いることも可能である。ただし、音響ＩＤを用いる方式は、テレビ受像機１に新たな機能を設ける必要がないなどのことから既存のテレビ受像システムに付加する場合に好適である。また、音響ＩＤを用いる場合であっても、スピーカから音響（音波）として放音して携帯端末装置２に収音させるのみならず、オーディオケーブルやＢｌｕｅｔｏｏｔｈ（登録商標）など有線や無線の伝送系で音響信号を伝送するようにしてもよい。
【符号の説明】
【００５４】
１  テレビ（放音装置）
２  携帯端末装置
３  ネットワーク
４  ＩＤ解決サーバ
５  コンテンツサーバ
６  顧客
８  放音装置
１６  スピーカ
２３  音響ＩＤ処理部
４０  ＩＤ／ＵＲＬ対応テーブル
【図１】
0005949068.tif 000002
【図２】
0005949068.tif 000003
【図３】
0005949068.tif 000004
【図４】
0005949068.tif 000005
【図５】
0005949068.tif 000006
【図６】
0005949068.tif 000007
【図７】
0005949068.tif 000008
【図８】
0005949068.tif 000009
【図９】
0005949068.tif 000010